(57)【要約】【課題】過充電状態になった場合、過充電を解消する。【解決手段】正極端子１７と負極端子１８とを電気的に接続可能な電流経路を、電流非遮断状態と電流遮断状態とに切り換え可能な電流経路開閉手段２２は、導電材製のばね３１と、ばね３１により電流経路を閉じる方向へ付勢された導電体３２と、導電体３２を、電流経路を開いた開状態保持位置と、電流経路を閉じる閉状態位置への移動を許容する移動許容位置とに回動する回動部材３３とを備えている。正極端子１７と負極端子１８との間にダイオードの回路と、モータの回路部とが直列に接続されている。過充電状態になると、モータにより回動部材３３が回動され、電流経路開閉手段２２は電流非遮断状態に切り換えられ、正極端子１７から電流経路を経て負極端子１８へと電流が流れ、二次電池の電力は、電流経路を構成するばね３１及び導電体３２でジュール熱として消費される。【選択図】図４
2017045679.tif 000002
【特許請求の範囲】
【請求項１】
電極組立体がケース内部に収容され、前記電極組立体と電気的に接続されている正極端子及び負極端子を備えた蓄電装置であって、
前記正極端子及び前記負極端子の前記ケースの外部への突出部との間に、前記正極端子と前記負極端子とを電気的に接続可能な電流経路を、電流非遮断状態と電流遮断状態とに切り換え可能な電流経路開閉手段が設けられ、
前記電流経路開閉手段は、
導電材製のばねと、
前記ばねにより前記電流経路を閉じる方向へ付勢された導電体と、
前記導電体を前記電流経路を開いた状態に保持する開状態保持位置と、前記導電体の前記電流経路を閉じる閉状態位置への移動を許容する移動許容位置とに回動される回動部材と、
前記蓄電装置から供給される電力により前記回動部材を、前記開状態保持位置から前記移動許容位置へ回動させる回動手段と、
前記正極端子と前記負極端子との間に設けられ、カソード側が前記負極端子側に、アノード側が前記正極端子側となるように接続されたダイオードの回路と、前記回動手段の回路部とが直列に接続された直列回路と、
を備えており、
前記ダイオードの閾値電圧は、前記蓄電装置の過充電時に前記直列回路に、前記蓄電装置から電流が流れる状態となる値に設定されており、
前記ばね及び前記導電体の合計抵抗値は、前記電流経路が閉じた状態において前記蓄電装置の電力をジュール熱として徐々に使用可能な値に設定されていることを特徴とする蓄電装置。
【請求項２】
前記回動手段はモータである請求項１に記載の蓄電装置。
【請求項３】
前記回動部材は、電気的絶縁体製で、前記導電体と係合して前記導電体を前記開状態保持位置に保持する曲面状の保持面と、前記保持面と交差し、前記保持面と係合状態の前記導電体が前記保持面との係合を解除して、前記ばねの付勢力により移動することを許容する溝部とを備えており、前記導電体は２個設けられ、一方の導電体は、前記回動部材の前記保持面と係合する側と反対側において前記ばねの一端に電気的に接続され、前記ばねの他端は、前記負極端子に電気的に接続されており、他方の導電体は、前記回動部材の前記保持面と係合する側と反対側において前記ばねの一端に電気的に接続され、前記ばねの他端は、前記正極端子に電気的に接続されている請求項１又は請求項２に記載の蓄電装置。
【請求項４】
前記導電体は棒状で１個設けられ、かつ一部に前記回動部材に係止される係止部を備えており、前記回動部材は、前記導電体の前記係止部と係合した状態で前記導電体を前記開状態保持位置に保持する請求項１又は請求項２に記載の蓄電装置。
【発明の詳細な説明】
【技術分野】
【０００１】
本発明は、蓄電装置に関する。
【背景技術】
【０００２】
二次電池やキャパシタのような蓄電装置は再充電が可能であり、繰り返し使用することができるため電源として広く利用されている。二次電池、特にリチウムイオン二次電池では過充電等で過電圧が印加された場合、電解液が分解して発生するガスによって圧力が高まる。
【０００３】
従来、過充電状態になると、端子と電極組立体との通電経路を流れる電流を遮断する電流遮断構造を備えたものがある。電流遮断構造としては、過充電によりケース内に発生したガス圧によって作動するものがある。また、ケース内に発生したガス圧を利用せずに、電流を遮断する構成のものもある（例えば、特許文献１参照）。
【０００４】
特許文献１に開示された二次電池は、二次電池の一方の電極端子と電気的に一端を接続され、所定の電流が通過すると切断する電流遮断部と、前記電流遮断部の他端と電気的に接続される第１短絡リードと、二次電池の他方の電極端子と電気的に接続される第２短絡リードとを備える。また、前記第１短絡リードと前記第２短絡リードとの間の電圧を測定する電圧検知部と、前記電圧検知部が測定した電圧が所定の閾値を超えると、前記第１短絡リードと前記第２短絡リードとを電気的に接続させる接続部とを備え、前記電流遮断部は、前記第１短絡リードと前記第２短絡リードとが電気的に接続された場合に電流を遮断する。
【先行技術文献】
【特許文献】
【０００５】
【特許文献１】特開２０１５−６０６５８号公報
【発明の概要】
【発明が解決しようとする課題】
【０００６】
ところが、ケース内に発生したガス圧を利用して電流遮断を行う構成の場合、電池寿命の全期間にわたって過充電時に規定通りの量のガスを発生させることは困難である。また、従来技術では、二次電池が過充電状態になると、端子と電極組立体との通電経路を流れる電流を遮断する構成のため、電流遮断後も電圧が高いまま保持されている。過充電状態になった二次電池は再使用しないため、過充電状態の高い電圧に保持されているのは好ましくない。
【０００７】
本発明は、前記の問題に鑑みてなされたものであって、その目的は、過充電状態になった場合、過充電を解消することができる蓄電装置を提供することにある。
【課題を解決するための手段】
【０００８】
上記課題を解決する蓄電装置は、電極組立体がケース内部に収容され、前記電極組立体と電気的に接続されている正極端子及び負極端子を備えた蓄電装置である。そして、前記正極端子及び前記負極端子の前記ケースの外部への突出部との間に、前記正極端子と前記負極端子とを電気的に接続可能な電流経路を、電流非遮断状態と電流遮断状態とに切り換え可能な電流経路開閉手段が設けられている。前記電流経路開閉手段は、導電材製のばねと、前記ばねにより前記電流経路を閉じる方向へ付勢された導電体と、前記導電体を前記電流経路を開いた状態に保持する開状態保持位置と、前記導電体の前記電流経路を閉じる閉状態位置への移動を許容する移動許容位置とに回動される回動部材と、前記蓄電装置から供給される電力により前記回動部材を、前記開状態保持位置から前記移動許容位置へ回動させる回動手段と、前記正極端子と前記負極端子との間に設けられ、カソード側が前記負極端子側に、アノード側が前記正極端子側となるように接続されたダイオードの回路と、前記回動手段の回路部とが直列に接続された直列回路と、を備えている。前記ダイオードの閾値電圧は、前記蓄電装置の過充電時に前記直列回路に、前記蓄電装置から電流が流れる状態となる値に設定されており、前記ばね及び前記導電体の合計抵抗値は、前記電流経路が閉じた状態において前記蓄電装置の電力をジュール熱として徐々に使用可能な値に設定されている。ここで、「ダイオードの回路」とは、ダイオードの数は１個でも複数個でもよい。また、「ジュール熱として徐々に使用可能」とは、短絡のように大電流が流れて短時間で電力を消費するのではなく、例えば、数十度以下で発熱する状態で電流が流れる状態を意味する。
【０００９】
この構成によれば、正極端子と負極端子とを電気的に接続可能な電流経路に設けられた電流経路開閉手段は、蓄電装置が正常な状態では、電流遮断状態に保持されるため、正極端子と負極端子とに接続された充電装置による充電や、正極端子と負極端子とに接続された電気機器への給電（電力供給）が支障なく行われる。また、蓄電装置が過充電状態になると、ダイオードを介して電流が回動手段に供給され、回動手段が駆動されて電流経路開閉手段は、電流非遮断状態に切り換えられる。そして、蓄電装置の正極端子から電流経路を経て負極端子へと電流が流れ、蓄電装置の電力は、電流経路を構成する導電材製のばね及び導電体でジュール熱として消費される。すなわち、従来技術と異なり、正極端子から負極端子への電流経路を遮断して過充電状態が進行するのを防止するのではなく、蓄電装置の電力を消費して蓄電装置の過充電状態を解消する。したがって、蓄電装置が過充電状態になった場合、過充電を解消することができる。
【００１０】
前記回動手段はモータであることが好ましい。回動手段はモータに限らず、例えば、ロータリーソレノイドを使用してもよいが、モータの方が必要な回動力や回転速度を有するものが得やすい。
【００１１】
前記回動部材は、電気的絶縁体製で、前記導電体と係合して前記導電体を前記開状態保持位置に保持する曲面状の保持面と、前記保持面と交差し、前記保持面と係合状態の前記導電体が前記保持面との係合を解除して、前記ばねの付勢力により移動することを許容する溝部とを備えている。前記導電体は２個設けられ、一方の導電体は、前記回動部材の前記保持面と係合する側と反対側において前記ばねの一端に電気的に接続され、前記ばねの他端は、前記負極端子に電気的に接続されており、他方の導電体は、前記回動部材の前記保持面と係合する側と反対側において前記ばねの一端に電気的に接続され、前記ばねの他端は、前記正極端子に電気的に接続されていてもよい。
【００１２】
この構成では、回動部材が備えた曲面状の保持面と２個の導電体が係合する状態では、電流経路開閉手段は電流遮断状態に保持される。その状態から回動部材が回動手段によって回動され、回動部材が備える溝部が２個の導電体と対向する位置に配置されると、２個の導電体が溝部に沿って移動されて互いに電気的に接続される状態となり、電流経路開閉手段は電流非遮断状態に保持される。そして、蓄電装置の電力が消費されて蓄電装置の過充電状態が解消される。
【００１３】
前記導電体は棒状で１個設けられ、かつ一部に前記回動部材に係止される係止部を備えており、前記回動部材は、前記導電体の前記係止部と係合した状態で前記導電体を前記開状態保持位置に保持する構成であってもよい。この構成では、電流経路開閉手段を構成する導電体及び導電材製のばねはそれぞれ１個でよいため、部品点数が少なく、構成が簡単になる。
【発明の効果】
【００１４】
本発明によれば、蓄電装置が過充電状態になった場合、過充電を解消することができる。
【図面の簡単な説明】
【００１５】
【図１】（ａ）は第１の実施形態の二次電池を模式的に示す断面図、（ｂ）は正極、負極及びセパレータの関係を示す概略斜視図。
【図２】過充電状態解消部の電気的構成を示す模式図。
【図３】電流経路開閉手段を示す概略斜視図。
【図４】（ａ）は電流経路開閉手段の電流遮断状態を示す模式図、（ｂ）は電流経路開閉手段の電流非遮断状態を示す模式図。
【図５】第２の実施形態の電流経路開閉手段を示す概略斜視図。
【図６】（ａ）は電流経路開閉手段の電流遮断状態を示す模式図、（ｂ）は電流経路開閉手段の電流非遮断状態を示す模式図。
【発明を実施するための形態】
【００１６】
（第１の実施形態）
以下、本発明を積層型の電極組立体を備えた二次電池に具体化した第１の実施形態を図１〜図４にしたがって説明する。
【００１７】
図１（ａ）に示すように、蓄電装置としての二次電池１０は、有底箱状のケース本体１１ａ及びその開口部を覆う蓋体１１ｂとで構成された四角箱状のケース１１内に、積層型の電極組立体１２及び電解液が収容されている。
【００１８】
図１（ｂ）に示すように、電極組立体１２は、金属箔１３の両面に活物質層１４ａを有する複数の矩形シート状の正極１４と、金属箔１３の両面に活物質層１５ａを有する複数の矩形シート状の負極１５とが、両者の間にセパレータ１６が介在する状態で積層されている。
【００１９】
正極１４は、金属箔１３の一辺から延出された正極タブ１４ｂを有する。正極タブ１４ｂは、電極組立体１２の一端面（図１（ｂ）において上端面）の右側寄りとなる位置に突設されている。負極１５は、金属箔１３の一辺から延出された負極タブ１５ｂを有する。負極タブ１５ｂは、電極組立体１２の一端面（図１（ｂ）において上端面）の左側寄りとなる位置に突設されている。二次電池１０がリチウムイオン二次電池の場合、正極１４用の金属箔１３はアルミニウム箔が好ましく、負極１５用の金属箔１３は銅箔が好ましい。
【００２０】
図１（ａ）に示すように、蓋体１１ｂには、正極端子１７及び負極端子１８が、一部がケース１１の外部に突出する状態で固定されている。正極端子１７及び負極端子１８は、蓋体１１ｂに形成された孔１１ｃに取り付けられたリング状の絶縁部材１９を貫通する状態で設けられている。
【００２１】
正極端子１７は正極導電部材２０を介して正極タブ１４ｂに電気的に接続され、負極端子１８は負極導電部材２１を介して負極タブ１５ｂに電気的に接続されている。なお、ケース本体１１ａの内面及び蓋体１１ｂの内面には、絶縁シート（図示せず）が取着されている。
【００２２】
図１（ａ）に示すように、正極端子１７及び負極端子１８のケース１１の外部への突出部との間に、電流経路開閉手段２２が設けられている。なお、図１（ａ）においては、電流経路開閉手段２２はブロックとして図示されている。
【００２３】
図２に示すように、電流経路開閉手段２２は、正極端子１７と負極端子１８とを電気的に接続可能な電流経路２３を備え、電流経路２３には電流経路２３を電流非遮断状態と電流遮断状態とに切り換え可能なスイッチ部２４が設けられている。電流経路２３には、電流経路２３が電流非遮断状態において電流経路２３を電流が流れた際のジュール熱を発生する抵抗Ｒが存在する。また、正極端子１７と負極端子１８との間には、複数のダイオード２５が直列に、かつカソード側が負極端子１８側に、アノード側が正極端子１７側となるように直列に接続された回路２６と、モータ２７とが直列に接続されている。即ち、正極端子１７と負極端子１８との間には、複数のダイオード２５が直列に接続された回路２６と、モータ２７の回路部とが直列に接続された直列回路２８とが設けられている。複数のダイオード２５が直列に接続された回路２６は、合計の閾値電圧が、二次電池１０の過充電時に直列回路２８に、二次電池１０から電流が流れる状態となるように、各ダイオード２５の閾値電圧及びダイオード２５の数が設定されている。
【００２４】
次に電流経路開閉手段２２のスイッチ部２４の構成を詳述する。
図３に示すように、スイッチ部２４は、導電材製のばね３１と、ばね３１により電流経路２３を閉じる方向へ付勢された導電体３２と、回動部材３３とを備えている。回動部材３３は、導電体３２を、電流経路２３を開いた状態に保持する開状態保持位置（図３及び図４（ａ）の状態）と、導電体３２が電流経路２３を閉じる閉状態位置への移動を許容する移動許容位置（図４（ｂ）の状態）とにモータ２７により回動されるようになっている。モータ２７は、二次電池１０から供給される電力により回動部材３３を、開状態保持位置から移動許容位置へ回動させる回動手段を構成する。ばね３１及び導電体３２の合計抵抗値は、電流経路２３が閉じた状態において二次電池１０の電力をジュール熱として徐々に使用可能な値に設定されている。「ジュール熱として徐々に使用可能」とは、短絡のように大電流が流れて短時間で電力を消費するのではなく、例えば、数十度以下で発熱する状態で電流が流れる状態を意味する。
【００２５】
回動部材３３は、電気的絶縁体製で、導電体３２と係合して導電体３２を開状態保持位置に保持する曲面状の保持面３４と、保持面３４と交差し、保持面３４と係合状態の導電体３２が保持面３４との係合を解除して、ばね３１の付勢力により移動することを許容する溝部３５とを備えている。この実施形態では、保持面３４は円弧面に形成され、溝部３５は直線状に形成されている。回動部材３３は軸部３３ａを介してモータ２７の駆動軸に固定されている。溝部３５の中央には導電部３６が固定されている。
【００２６】
図３に示すように、回動部材３３の基準位置は、溝部３５が正極端子１７及び負極端子１８と平行に延びる状態であり、モータ２７に通電されると基準位置から９０度回動されて、溝部３５の延長線が正極端子１７及び負極端子１８と直交する状態、即ち、導電体３２が溝部３５内を移動可能な状態になる。各導電体３２は、保持面３４の近傍に設けられた支持部材３７に支持された状態で、ばね３１の付勢力により保持面３４に対して正極端子１７及び負極端子１８と直交する方向に押圧付勢されている。
【００２７】
次に前記のように構成された二次電池１０の作用を説明する。
二次電池１０が正常な状態、即ち過充電状態でない場合は、正極端子１７と負極端子１８との間の電圧がダイオード２５及びモータ２７の直列回路２８に印加されても、ダイオード２５の合計閾値電圧が正極端子１７と負極端子１８との間の電圧より高い。そのため、電流経路開閉手段２２を構成するモータ２７は停止状態に保持され、モータ２７の駆動軸に軸部３３ａを介して固定された回動部材３３は、図３及び図４（ａ）に示すように、溝部３５が正極端子１７及び負極端子１８と平行に延び、保持面３４が導電体３２と当接した状態に保持される。そして、電流経路開閉手段２２は、電流遮断状態に保持されるため、正極端子１７と負極端子１８とに接続された充電装置による充電や、正極端子１７と負極端子１８とに接続された電気機器への給電（電力供給）が支障なく行われる。
【００２８】
二次電池１０が過充電状態になると、ダイオード２５を介して電流がモータ２７に供給され、モータ２７が駆動されて回動部材３３が基準位置から９０度回動されて、図４（ｂ）に示すように、溝部３５の延長線が正極端子１７及び負極端子１８と直交する状態になる。そして、それまで保持面３４と係合していた導電体３２は、保持面３４との係合が解除されて、ばね３１の付勢力によって溝部３５内を移動し、導電部３６に押圧された状態に保持される。
【００２９】
その結果、電流経路開閉手段２２は、電流経路２３を構成するばね３１、導電体３２、導電部３６、導電体３２及びばね３１を経て、電流が流れることが可能な電流非遮断状態に切り換えられる。そして、二次電池１０の正極端子１７から電流経路２３を経て負極端子１８へと電流が流れ、二次電池１０の電力は、電流経路２３を構成する導電材製のばね３１及び導電体３２でジュール熱として消費される。すなわち、従来技術と異なり、正極端子１７から負極端子１８への電流経路を遮断して過充電状態が進行するのを防止するのではなく、二次電池１０の電力を消費して二次電池１０の過充電状態を解消する。
【００３０】
この実施形態によれば、以下に示す効果を得ることができる。
（１）二次電池１０は、電極組立体１２がケース１１内部に収容され、電極組立体１２と電気的に接続されている正極端子１７及び負極端子１８を備えた蓄電装置である。そして、正極端子１７及び負極端子１８のケース１１の外部への突出部との間に、正極端子１７と負極端子１８とを電気的に接続可能な電流経路２３を、電流非遮断状態と電流遮断状態とに切り換え可能な電流経路開閉手段２２が設けられている。電流経路開閉手段２２は、導電材製のばね３１と、ばね３１により電流経路２３を閉じる方向へ付勢された導電体３２と、導電体３２を、電流経路２３を開いた状態に保持する開状態保持位置と、導電体３２が電流経路２３を閉じる閉状態位置への移動を許容する移動許容位置とに回動される回動部材３３とを備えている。また、電流経路開閉手段２２は、二次電池１０から供給される電力により回動部材３３を、開状態保持位置から移動許容位置へ回動させる回動手段（モータ２７）と、正極端子１７と負極端子１８との間に設けられ、カソード側が負極端子１８側に、アノード側が正極端子１７側となるように接続されたダイオード２５の回路２６と、回動手段の回路部とが直列に接続された直列回路２８と、を備えている。そして、ダイオード２５の閾値電圧は、二次電池１０の過充電時に直列回路２８に、二次電池１０から電流が流れる状態となる値に設定されており、ばね３１及び導電体３２の合計抵抗値は、電流経路２３が閉じた状態において二次電池１０の電力をジュール熱として徐々に使用可能な値に設定されている。
【００３１】
この構成によれば、正極端子１７と負極端子１８とを電気的に接続可能な電流経路２３に設けられた電流経路開閉手段２２は、二次電池１０が正常な状態では、電流遮断状態に保持されるため、正極端子１７と負極端子１８とに接続された充電装置による充電や、正極端子１７と負極端子１８とに接続された電気機器への給電（電力供給）が支障なく行われる。また、二次電池１０が過充電状態になると、ダイオード２５を介して電流が回動手段（モータ２７）に供給され、回動手段が駆動されて電流経路開閉手段２２は、電流非遮断状態に切り換えられる。そして、二次電池１０の正極端子１７から電流経路２３を経て負極端子１８へと電流が流れ、二次電池１０の電力は、電流経路２３を構成する導電材製のばね３１及び導電体３２でジュール熱として消費される。すなわち、従来技術と異なり、正極端子１７から負極端子１８への電流経路２３を遮断して過充電状態が進行するのを防止するのではなく、二次電池１０の電力を消費して二次電池１０の過充電状態を解消する。また、回動手段（モータ２７）に電力を供給するか否かが、ダイオード２５の合計の閾値電圧によって決まるため、二次電池１０の環境温度が変化しても適切に電力の供給が行われる。したがって、二次電池１０が過充電状態になった場合、過充電を解消することができる。
【００３２】
（２）回動手段はモータ２７である。回動手段はモータ２７に限らず、例えば、ロータリーソレノイドを使用してもよいが、モータ２７の方が必要な回動力や回転速度を有するものが得やすい。
【００３３】
（３）回動部材３３は、電気的絶縁体製で、導電体３２と係合して導電体３２を開状態保持位置に保持する曲面状の保持面３４と、保持面３４と交差し、保持面３４と係合状態の導電体３２が保持面３４との係合を解除して、ばね３１の付勢力により移動することを許容する溝部３５とを備えている。導電体３２は２個設けられ、一方の導電体３２は、回動部材３３の保持面３４と係合する側と反対側においてばね３１の一端に電気的に接続され、ばね３１の他端は、負極端子１８に電気的に接続されている。他方の導電体３２は、回動部材３３の保持面３４と係合する側と反対側においてばね３１の一端に電気的に接続され、ばね３１の他端は、正極端子１７に電気的に接続されている。この構成では、回動部材３３が備えた曲面状の保持面３４と２個の導電体３２が係合する状態では、電流経路開閉手段２２は電流遮断状態に保持される。その状態から回動部材３３が回動手段（モータ２７）によって回動され、回動部材３３が備える溝部３５が２個の導電体３２と対向する位置に配置されると、２個の導電体３２が溝部３５に沿って移動されて導電部３６を介して電気的に接続された状態となり、電流経路開閉手段２２は電流非遮断状態に保持される。そして、二次電池１０の電力が消費されて二次電池１０の過充電状態が解消される。
【００３４】
（４）回動部材３３は、溝部３５の中央に導電部３６が固定されている。そのため、導電部３６がない場合に比べて、２個の導電体３２が、電流経路開閉手段２２を電流遮断状態に保持する位置から電流非遮断状態に保持する位置まで移動する距離が短くなる。
【００３５】
（第２の実施形態）
次に、本発明を具体化した第２の実施形態を図５及び図６にしたがって説明する。なお、第２の実施形態は、第１の実施形態の電流経路開閉手段２２と比べて、回動部材３３及び導電体３２の構成が異なっている。同様の部分についてはその詳細な説明を省略する。
【００３６】
図５及び図６（ａ）に示すように、電流経路開閉手段２２を構成する導電体４１は、棒状で１個設けられている。導電体４１を、電流経路２３を開いた状態に保持する開状態保持位置と、導電体４１が電流経路２３を閉じる閉状態位置への移動を許容する移動許容位置とに回動される回動部材４２は、歯車で構成されている。導電体４１は、一部に回動部材４２に係止される係止部４３として、回動部材４２の歯車の歯と噛み合い可能な複数の歯を備えている。回動部材４２は、モータ２７の駆動軸４４に固定されている。
【００３７】
図６（ａ）に示すように、導電体４１は、正極端子１７及び負極端子１８と直交する方向に延びる状態で、正極端子１７側の端部において導電材製のばね４５に接続されており、負極端子１８との間に空間が存在する状態で、係止部４３が回動部材４２に係止された状態が基準位置になる。この状態では、ばね４５は圧縮された状態になり、導電体４１は負極端子１８側へ移動する方向に付勢されている。
【００３８】
図６（ａ），（ｂ）に示すように、係止部４３の長さは、係止部４３と回動部材４２の歯との係合が解除された状態において、導電体４１の先端（負極端子１８と対向する側）と負極端子１８との間に空間が存在する長さに形成されている。
【００３９】
図６（ｂ）に示すように、ばね４５は、導電体４１の係止部４３と、回動部材４２との係止状態が解除された後、導電体４１をその先端が負極端子１８に押圧される状態に保持することが可能な長さに形成されている。
【００４０】
この実施形態においても、二次電池１０が正常な状態、即ち過充電状態でない場合は、正極端子１７と負極端子１８との間の電圧がダイオード２５及びモータ２７の直列回路２８に印加されても、ダイオード２５の合計閾値電圧が正極端子１７と負極端子１８との間の電圧より高い。そのため、電流経路開閉手段２２を構成するモータ２７は停止状態に保持され、モータ２７の駆動軸４４に固定された回動部材４２は、図５及び図６（ａ）に示すように、導電体４１の係止部４３に係止された状態に保持される。そして、電流経路開閉手段２２は、電流遮断状態に保持されるため、正極端子１７と負極端子１８とに接続された充電装置による充電や、正極端子１７と負極端子１８とに接続された電気機器への給電（電力供給）が支障なく行われる。
【００４１】
二次電池１０が過充電状態になると、ダイオード２５を介して電流がモータ２７に供給され、モータ２７が駆動されて回動部材４２が図６（ａ）の反時計方向に回動される。そして、回動部材４２の回転に伴い、導電体４１が負極端子１８側に向かって移動される。導電体４１は、回動部材４２と係止部４３との係止状態が解除される位置まで移動された後、ばね４５の付勢力で、図６（ｂ）に示すように、導電体４１の先端が負極端子１８に押圧される位置まで移動され、電流経路開閉手段２２は、ばね４５及び導電体４１を経て、電流が流れることが可能な電流非遮断状態に切り換えられる。そして、二次電池１０の正極端子１７から負極端子１８へと電流が流れ、二次電池１０の電力は、電流経路２３を構成する導電材製のばね４５及び導電体４１でジュール熱として消費される。
【００４２】
この実施形態では、第１の実施形態における（１）及び（２）と同様の効果が得られる。また、この実施形態では、導電体４１及び導電材製のばね４５はそれぞれ１個でよいため、第１の実施形態に比べて部品点数が少なく、構成が簡単になる。
【００４３】
実施形態は前記に限定されるものではなく、例えば、次のように具体化してもよい。
○  第１の実施形態において回動部材３３に導電部３６を設けずに、２個の導電体３２が当接することにより電流非遮断状態に保持される構成としてもよい。
【００４４】
○  第１の実施形態において回動部材３３に設けられる導電部３６を長く形成し、２個の導電体３２の一部が溝部３５に進入した状態で導電部３６と当接可能に構成してもよい。この場合、導電体３２の移動距離が少なくなり、電流経路開閉手段２２が電流遮断状態から電流非遮断状態に切り換えられる時間を短くすることができる。
【００４５】
○  導電体３２は、立方体状や四角柱状に限らず、例えば、円柱状や球状であってもよい。
○  第２の実施形態において、回動部材４２は全周面に歯を有する歯車に限らず、セクター歯車（扇状歯車）であってもよい。
【００４６】
○  第２の実施形態において、導電体４１として、係止部４３が形成されていない部分の形状を、図６（ｂ）に二点鎖線で示すように、回動部材４２の歯と当接可能な矩形状としてもよい。この場合、係止部４３と回動部材４２の歯との係止状態が解除された後も、導電体４１は回動部材４２と係合した状態で安定して移動し易くなる。
【００４７】
○  第２の実施形態において、導電体４１は、先端が正極端子１７と対向し、負極端子１８側の端部において導電材製のばね４５に接続され、ばね４５により正極端子１７に向かって付勢され、係止部４３が回動部材４２の歯に係止された基準位置では、正極端子１７との間に空間が存在する状態に設けられた構成にしてもよい。
【００４８】
○  回動手段はモータ２７に限らず、例えば、ロータリーソレノイドを使用してもよい。
○  第２の実施形態において、導電体４１に係止部４３として１個の突起を設け、回動部材４２は、基準位置ではその突起に係合して導電体４１の移動を規制し、電流経路開閉手段２２を電流遮断状態に保持し、回動手段が回動されると、突起との係止が解除された状態で導電体４１の電流非遮断位置への移動を許容する状態になるようにしてもよい。
【００４９】
○  電極組立体１２は、セパレータ１６を袋状として、正極１４及び負極１５のいずれか一方が袋状のセパレータ１６に収容されて、正極１４及び負極１５がセパレータを介して交互に積層された構成としてもよい。
【００５０】
○  電極組立体１２は積層型に限らず、巻回型であってもよい。
○  二次電池１０は、電解質として電解液を使用する構成であっても、電解液を使用せずに固体電解質や高分子電解質を使用する構成であってもよい。
【００５１】
○  二次電池１０に限らず、電気二重層キャパシタやリチウムイオンキャパシタ等のキャパシタに適用してもよい。
以下の技術的思想（発明）は前記実施形態から把握できる。
【００５２】
（１）請求項４に記載の発明において、前記回動部材は、前記導電体の係止部との係合が解除された状態において、前記導電体の係止部以外の部分と係合した状態で前記導電体の電流非遮断位置への移動を許容可能に構成されている。
【符号の説明】
【００５３】
１０…蓄電装置としての二次電池、１１…ケース、１２…電極組立体、１７…正極端子、１８…負極端子、２２…電流経路開閉手段、２３…電流経路、２５…ダイオード、２６…回路、２７…モータ、２８…直列回路、３１，４５…ばね、３２，４１…導電体、３３，４２…回動部材、３４…保持面、３５…溝部、４３…係止部。
【図１】
2017045679.tif 000003
【図２】
2017045679.tif 000004
【図３】
2017045679.tif 000005
【図４】
2017045679.tif 000006
【図５】
2017045679.tif 000007
【図６】
2017045679.tif 000008